(57)【要約】【課題】n^4個の格子点を持ちCMYKをCMYKに変換するデバイスリンクプロファイルであって、３次色以下では墨を発生させないアクロマチック製版用のデバイスリンクプロファイルを用いて印刷した場合に発生するトーンジャンプの軽減を図る。【解決手段】第２階調の墨量を0.8倍以下に抑えることにより、トーンジャンプ発生の原因である第１階調の墨量と第２階調の墨量の差を小さくして、トーンジャンプの軽減を図る。また、第２階調から第ｎ階調についても徐々に墨量に乗算される補正係数を大きくすることにより、第２階調から第ｎ階調の部分についてもトーンジャンプが発生することを防ぐ。【選択図】図２５
2014187662.tif 000002
【特許請求の範囲】
【請求項１】
CMYK各色の網点面積率を第１階調から第n階調に分けることによりn^4個の格子点を持ち、CMYKをCMYKに変換するデバイスリンクプロファイルであり、３次色以下では墨を発生させないアクロマチック製版用のデバイスリンクプロファイルにおける、デスティネーション側のデバイスプロファイルに規定される墨(K)の網点面積率を補正する墨補正装置であって、
前記n^4個の各格子点におけるターゲット側のデバイスプロファイルに規定される墨(K)の網点面積率と、デスティネーション側のデバイスプロファイルに規定される墨(K)の網点面積率の差分値を補正するための補正係数を、墨(K)の階調毎に取得する補正係数取得手段と、
墨(K)の階調毎に、前記取得した補正係数を前記差分値に乗算する乗算手段と、
を備え、
前記補正係数は、縦軸に0から1の補正係数をとり、横軸にn階調分の階調をとる補正係数規定図における補正係数線から導出され、
前記補正係数規定図において、
少なくとも３本以上の連結された補正直線で構成される前記補正係数線は、補正係数が0を示し且つ網点面積率が0%である第１階調を示す点である始点から、補正係数が1を示し且つ網点面積率が100%である第n階調を示す点である終点までを結び、
全ての前記補正直線は、前記始点と前記終点を結ぶ基準直線より上方の領域に位置し、
前記始点から伸びる１本目の前記補正直線の傾きは、２本目以降の前記補正直線の傾きよりも大きく、
第２階調の前記補正係数が0.8以下となることを特徴とする墨補正装置。
【請求項２】
少なくとも網点面積率が50%以上の階調については、前記補正係数が略1であることを特徴とする請求項１に記載の墨補正装置。
【請求項３】
前記階調が上がるに従って前記補正係数が大きくなることを特徴とする請求項１又は２に記載の墨補正装置。
【請求項４】
CMYK各色の網点面積率を第１階調から第n階調に分けることによりn^4個の格子点を持つデバイスリンクプロファイルにおけるデスティネーション側の墨(K)値を定義する墨定義ファイルを生成する墨定義ファイル生成装置であって、
CMY各色の網点面積率が等しいn個の等量格子点における墨(K)値をユーザに指定させるための墨(K)値指定画面を表示部に表示させる第１表示制御手段と、
前記墨(K)値指定画面にて指定されたn個の等量格子点における墨(K)値を取得する第１取得手段と、
前記取得されたn個の墨(K)値に基づいて、CMYのうち予め設定された2色の網点面積率が等しい格子点における墨(K)値を算出するためのn^2個のパラメータをユーザに指定させるためのパラメータ指定画面を表示部に表示させる第２表示制御手段と、
前記パラメータ指定画面にて指定されたn^2個のパラメータを取得する第２取得手段と、
CMYのうち前記予め設定された2色以外の1色の階調毎に、前記第１取得手段により取得された墨(K)値と、前記第２取得手段により取得されたパラメータとに基づいて、前記2色の網点面積率が等しい格子点における墨(K)値を算出する算出手段と、
前記1色の階調毎に、前記第１取得手段により取得された墨(K)値と、前記算出手段により算出された墨(K)値に基づいて、前記2色の網点面積率が異なる格子点における墨(K)値を決定する決定手段と、
前記第１取得手段により取得された墨(K)値と、前記算出手段により算出された墨(K)値と、前記決定手段により決定された墨(K)値を含む前記墨定義ファイルを生成する生成手段と、
を備える墨定義ファイル生成装置により生成された墨定義ファイルに規定された墨(K)値を補正することを特徴とする請求項１乃至３の何れか一項に記載の墨補正装置。
【請求項５】
請求項４に記載の墨補正装置により補正された墨(K)値が規定された墨定義ファイルに基づいて、デバイスリンクプロファイルを作成するデバイスリンクプロファイル作成装置であって、
ターゲット側のデバイスプロファイルと、デスティネーション側のデバイスプロファイルを取得するデバイスプロファイル取得手段と、
前記デスティネーション側のデバイスプロファイルにおける墨(K)値を前記墨定義ファイルに基づいて補正する補正手段と、
前記取得されたターゲット側のデバイスプロファイルと、前記補正されたデスティネーション側のデバイスプロファイルに基づいてデバイスリンクプロファイルを作成するデバイスリンクプロファイル作成手段と、
を備えることを特徴とするデバイスリンクプロファイル作成装置。
【請求項６】
CMYK各色の網点面積率を第１階調から第n階調に分けることによりn^4個の格子点を持ち、CMYKをCMYKに変換するデバイスリンクプロファイルであり、３次色以下では墨を発生させないアクロマチック製版用のデバイスリンクプロファイルにおける、デスティネーション側のデバイスプロファイルに規定される墨(K)の網点面積率を補正する墨補正装置により実行される墨補正方法であって、
前記n^4個の各格子点におけるターゲット側のデバイスプロファイルに規定される墨(K)の網点面積率と、デスティネーション側のデバイスプロファイルに規定される墨(K)の網点面積率の差分値を補正するための補正係数を、墨(K)の階調毎に取得する補正係数取得工程と、
墨(K)の階調毎に、前記取得した補正係数を前記差分値に乗算する乗算工程と、
を含み、
前記補正係数は、縦軸に0から1の補正係数をとり、横軸にn階調分の階調をとる補正係数規定図における補正係数線から導出され、
前記補正係数規定図において、
少なくとも３本以上の連結された補正直線で構成される前記補正係数線は、補正係数が0を示し且つ網点面積率が0%である第１階調を示す点である始点から、補正係数が1を示し且つ網点面積率が100%である第n階調を示す点である終点までを結び、
全ての前記補正直線は、前記始点と前記終点を結ぶ基準直線より上方に位置し、
前記始点から伸びる１本目の前記補正直線の傾きは、２本目以降の前記補正直線の傾きよりも大きく、
第２階調の前記補正係数が0.8以下となることを特徴とする墨補正方法。
【請求項７】
CMYK各色の網点面積率を第１階調から第n階調に分けることによりn^4個の格子点を持ち、CMYKをCMYKに変換するデバイスリンクプロファイルであり、３次色以下では墨を発生させないアクロマチック製版用のデバイスリンクプロファイルにおける、デスティネーション側のデバイスプロファイルに規定される墨(K)の網点面積率を補正する墨補正装置に含まれるコンピュータを、
前記n^4個の各格子点におけるターゲット側のデバイスプロファイルに規定される墨(K)の網点面積率と、デスティネーション側のデバイスプロファイルに規定される墨(K)の網点面積率の差分値を補正するための補正係数を、墨(K)の階調毎に取得する補正係数取得手段、
墨(K)の階調毎に、前記取得した補正係数を前記差分値に乗算する乗算手段、
として機能させる墨補正用プログラムであって、
前記補正係数は、縦軸に0から1の補正係数をとり、横軸にn階調分の階調をとる補正係数規定図における補正係数線から導出され、
前記補正係数規定図において、
少なくとも３本以上の連結された補正直線で構成される前記補正係数線は、補正係数が0を示し且つ網点面積率が0%である第１階調を示す点である始点から、補正係数が1を示し且つ網点面積率が100%である第n階調を示す点である終点までを結び、
全ての前記補正直線は、前記始点と前記終点を結ぶ基準直線より上方に位置し、
前記始点から伸びる１本目の前記補正直線の傾きは、２本目以降の前記補正直線の傾きよりも大きく、
第２階調の前記補正係数が0.8以下となることを特徴とする墨補正用プログラム。
【発明の詳細な説明】
【技術分野】
【０００１】
本発明は、カラーマネージメントを行うためのデバイスリンクプロファイルの技術分野に関する。
【背景技術】
【０００２】
入力装置に依存しない均等色空間上の色情報（L*a*b*）もしくは、三刺激値（X、Y、Z）からこの色を再現するための印刷の分解色C（シアン）、M（マゼンタ）、Y（イエロー）、K（ブラック）の量を求める問題は、３次の入力から４次の出力を求める不定問題となる。この解法の一つに、GCR（Gray Component Replacement）やUCR（Under Color Removal）などがあるが、これらの方法は直接網点面積率上もしくはデバイスの信号値の空間でなされるため、測色的な精度が不十分であるとされる。
【０００３】
これに対し、特許文献１には、分解３原色（C、M、Y）を予め決定した変換式でCMYK値を決定した後、この組合せで再現される色の三刺激値を予測し、予測された色（デスティネーション）と再現させる色（ターゲット）の色差が最も小さくなるようにCMYKを決定する方法が開示されている。この方法によれば、測色的な精度が向上できることが予想できるが、ユーザが墨発生量をCMYK全空間において自由（視覚的にわかりやすく）コントロールすることは難しい。変換式の詳細は述べられていないが、「分解３原色量（ｃ、ｍ、ｙ）を予め設定された、分解で用いられる原色の量と光学濃度の関係を表す分解曲線」とあることから、２次元座標での設定であることがわかる。
【０００４】
特許文献２にも同様の変換方式が記載さており、予めユーザがKインクの入れ込み方を指定するカスタム設定（BGC：Black Generation Curve）とある。ただし、この変換方式も、掲載されている図や文章の内容などから、２次元座標上での設定であることは明らかである。
【０００５】
これら２つの例からだけでなく、市販されているソフトウェアからも墨発生量は２次元座標において設定するのが一般的であることがわかっている。これらの２次元座標で墨発生量を設計した場合、墨の発生量が適正でない場合には、画質の劣化を招いてしまう。具体的には、墨発生量のバランスが悪い場合には、階調が急激に飛んでしまうトーンジャンプを生じる場合があり、また、墨量が多すぎると低濃度領域で粒状性が出てしまう場合がある、更に、下色除去量が多すぎると高濃度領域で部分的に色が白っぽく見える白抜けが生じてしまう場合がある。従って、この墨発生量をどのように決定するかが、墨版量の設計時において重要な要因となっている。
【０００６】
特許文献３には、こうした課題を解決するために、グレー軸トナー量、１次色軸トナー量、及び２次色軸トナー量を示すグラフが単調増加要件、不連続点不存在要件、及び非単調減少要件を満たしているように、墨入れ処理関数ＢＧ（ｋ）及び下色除去処理関数ＵＣＲ（ｋ）決定する方法が開示されている。ところが、この方法では、グレー軸、１次色、２次色に関するトーンジャンプに関しては考慮されているが、それ以外の色に関するトーンジャンプが保障されないという問題がある。これは、墨発生に制約条件をつけた上でトーンジャンプを軽減することが難しいことを意味する。ここでいう墨発生の制約とは３次色以下は墨を発生させない制約を示す。この制約は、肌色部、主にCMYで構成される画像に墨が混入した場合、混入した墨がざらつき（粒状性）として認識されて品質低下につながることを防ぐためのものである。
【先行技術文献】
【特許文献】
【０００７】
【特許文献１】特許第４３１６０２２号公報
【特許文献２】特開２００４−２３６１６８号公報
【特許文献３】特開２００４−３１２１９３号公報
【発明の概要】
【発明が解決しようとする課題】
【０００８】
上記制約条件下において特許文献３に記載の方法を採用すると、CMYからCMYKのグラデーションの境界部で急激なトーンジャンプが発生する可能性が高くなる。この現象について図１を用いて説明する。図１（Ａ）は、ＣＭＹＫの２色以上のそれぞれの色をベタ又はグラデーション（図１（Ｂ）では「グラデ」と略して記述している。）で組み合わせて印刷した場合の一例を示している。図１（Ａ）に示すように、囲いＥＡで示す部分で急激なトーンジャンプが発生していることがわかる。また、図１（Ｂ）を参照すると、図１（Ａ）において急激なトーンジャンプが発生している部分は、ＣＭＹＫの４色を含み、且つ、Ｋがグラデーションである部分に対応していることがわかる。
【０００９】
本発明は、このような問題等に鑑みてなされたもので、CMYKをCMYKに変換するデバイスリンクプロファイルであって、３次色以下では墨を発生させないアクロマチック製版用のデバイスリンクプロファイルを用いて印刷した場合に発生するトーンジャンプの軽減を図ることのできる墨補正装置等を提供することを課題とする。
【課題を解決するための手段】
【００１０】
上記課題を解決するために、請求項１に記載の発明は、CMYK各色の網点面積率を第１階調から第n階調に分けることによりn^4個の格子点を持ち、CMYKをCMYKに変換するデバイスリンクプロファイルであり、３次色以下では墨を発生させないアクロマチック製版用のデバイスリンクプロファイルにおける、デスティネーション側のデバイスプロファイルに規定される墨(K)の網点面積率を補正する墨補正装置であって、前記n^4個の各格子点におけるターゲット側のデバイスプロファイルに規定される墨(K)の網点面積率と、デスティネーション側のデバイスプロファイルに規定される墨(K)の網点面積率の差分値を補正するための補正係数を、墨(K)の階調毎に取得する補正係数取得手段と、墨(K)の階調毎に、前記取得した補正係数を前記差分値に乗算する乗算手段と、を備え、前記補正係数は、縦軸に0から1の補正係数をとり、横軸にn階調分の階調をとる補正係数規定図における補正係数線から導出され、前記補正係数規定図において、少なくとも３本以上の連結された補正直線で構成される前記補正係数線は、補正係数が0を示し且つ網点面積率が0%である第１階調を示す点である始点から、補正係数が1を示し且つ網点面積率が100%である第n階調を示す点である終点までを結び、全ての前記補正直線は、前記始点と前記終点を結ぶ基準直線より上方の領域に位置し、前記始点から伸びる１本目の前記補正直線の傾きは、２本目以降の前記補正直線の傾きよりも大きく、第２階調の前記補正係数が0.8以下となることを特徴とする。
【００１１】
請求項２に記載の発明は、少なくとも網点面積率が50%以上の階調については、前記補正係数が略1であることを特徴とする。
【００１２】
請求項３に記載の発明は、前記階調が上がるに従って前記補正係数が大きくなることを特徴とする。
【００１３】
請求項４に記載の発明は、CMYK各色の網点面積率を第１階調から第n階調に分けることによりn^4個の格子点を持つデバイスリンクプロファイルにおけるデスティネーション側の墨(K)値を定義する墨定義ファイルを生成する墨定義ファイル生成装置であって、CMY各色の網点面積率が等しいn個の等量格子点における墨(K)値をユーザに指定させるための墨(K)値指定画面を表示部に表示させる第１表示制御手段と、前記墨(K)値指定画面にて指定されたn個の等量格子点における墨(K)値を取得する第１取得手段と、前記取得されたn個の墨(K)値に基づいて、CMYのうち予め設定された2色の網点面積率が等しい格子点における墨(K)値を算出するためのn^2個のパラメータをユーザに指定させるためのパラメータ指定画面を表示部に表示させる第２表示制御手段と、前記パラメータ指定画面にて指定されたn^2個のパラメータを取得する第２取得手段と、CMYのうち前記予め設定された2色以外の1色の階調毎に、前記第１取得手段により取得された墨(K)値と、前記第２取得手段により取得されたパラメータとに基づいて、前記2色の網点面積率が等しい格子点における墨(K)値を算出する算出手段と、前記1色の階調毎に、前記第１取得手段により取得された墨(K)値と、前記算出手段により算出された墨(K)値に基づいて、前記2色の網点面積率が異なる格子点における墨(K)値を決定する決定手段と、前記第１取得手段により取得された墨(K)値と、前記算出手段により算出された墨(K)値と、前記決定手段により決定された墨(K)値を含む前記墨定義ファイルを生成する生成手段と、を備える墨定義ファイル生成装置により生成された墨定義ファイルに規定された墨(K)値を補正することを特徴とする。
【００１４】
請求項５に記載の発明は、請求項４に記載の墨補正装置により補正された墨(K)値が規定された墨定義ファイルに基づいて、デバイスリンクプロファイルを作成するデバイスリンクプロファイル作成装置であって、ターゲット側のデバイスプロファイルと、デスティネーション側のデバイスプロファイルを取得するデバイスプロファイル取得手段と、前記デスティネーション側のデバイスプロファイルにおける墨(K)値を前記墨定義ファイルに基づいて補正する補正手段と、前記取得されたターゲット側のデバイスプロファイルと、前記補正されたデスティネーション側のデバイスプロファイルに基づいてデバイスリンクプロファイルを作成するデバイスリンクプロファイル作成手段と、を備えることを特徴とする。
【００１５】
請求項６に記載の発明は、CMYK各色の網点面積率を第１階調から第n階調に分けることによりn^4個の格子点を持ち、CMYKをCMYKに変換するデバイスリンクプロファイルであり、３次色以下では墨を発生させないアクロマチック製版用のデバイスリンクプロファイルにおける、デスティネーション側のデバイスプロファイルに規定される墨(K)の網点面積率を補正する墨補正装置により実行される墨補正方法であって、前記n^4個の各格子点におけるターゲット側のデバイスプロファイルに規定される墨(K)の網点面積率と、デスティネーション側のデバイスプロファイルに規定される墨(K)の網点面積率の差分値を補正するための補正係数を、墨(K)の階調毎に取得する補正係数取得工程と、墨(K)の階調毎に、前記取得した補正係数を前記差分値に乗算する乗算工程と、を含み、前記補正係数は、縦軸に0から1の補正係数をとり、横軸にn階調分の階調をとる補正係数規定図における補正係数線から導出され、前記補正係数規定図において、少なくとも３本以上の連結された補正直線で構成される前記補正係数線は、補正係数が0を示し且つ網点面積率が0%である第１階調を示す点である始点から、補正係数が1を示し且つ網点面積率が100%である第n階調を示す点である終点までを結び、全ての前記補正直線は、前記始点と前記終点を結ぶ基準直線より上方の領域に位置し、前記始点から伸びる１本目の前記補正直線の傾きは、２本目以降の前記補正直線の傾きよりも大きく、第２階調の前記補正係数が0.8以下となることを特徴とする。
【００１６】
請求項７に記載の発明は、CMYK各色の網点面積率を第１階調から第n階調に分けることによりn^4個の格子点を持ち、CMYKをCMYKに変換するデバイスリンクプロファイルであり、３次色以下では墨を発生させないアクロマチック製版用のデバイスリンクプロファイルにおける、デスティネーション側のデバイスプロファイルに規定される墨(K)の網点面積率を補正する墨補正装置に含まれるコンピュータを、前記n^4個の各格子点におけるターゲット側のデバイスプロファイルに規定される墨(K)の網点面積率と、デスティネーション側のデバイスプロファイルに規定される墨(K)の網点面積率の差分値を補正するための補正係数を、墨(K)の階調毎に取得する補正係数取得手段、墨(K)の階調毎に、前記取得した補正係数を前記差分値に乗算する乗算手段、として機能させる墨補正用プログラムであって、前記補正係数は、縦軸に0から1の補正係数をとり、横軸にn階調分の階調をとる補正係数規定図における補正係数線から導出され、前記補正係数規定図において、少なくとも３本以上の連結された補正直線で構成される前記補正係数線は、補正係数が0を示し且つ網点面積率が0%である第１階調を示す点である始点から、補正係数が1を示し且つ網点面積率が100%である第n階調を示す点である終点までを結び、全ての前記補正直線は、前記始点と前記終点を結ぶ基準直線より上方の領域に位置し、前記始点から伸びる１本目の前記補正直線の傾きは、２本目以降の前記補正直線の傾きよりも大きく、第２階調の前記補正係数が0.8以下となることを特徴とする。
【発明の効果】
【００１７】
本発明によれば、第２階調の墨量を0.8倍以下に抑えることにより、トーンジャンプ発生の原因である第１階調の墨量と第２階調の墨量の差を小さくすることができ、トーンジャンプの軽減を図ることができる。
【図面の簡単な説明】
【００１８】
【図１】CMYからCMYKのグラデーションの境界部でトーンジャンプが発生する現象を説明するための図である。
【図２】（Ａ）墨定義ファイルの一例を示す図である。（Ｂ）墨定義ファイルに記述される値と網点面積率の対応関係の一例を示す図である。
【図３】プロファイル生成装置１の構成を示すブロック図である。
【図４】墨定義画面１００の一例を示す図である。
【図５】墨定義グラフ２００の一例を示す図である。
【図６】墨定義グラフ２００の一例を示す図である。
【図７】（Ａ）墨定義テーブルＫＴ１（M=0%）の一例を示す図である。（Ｂ）墨定義テーブルＫＴ２（M=6.25%）の一例を示す図である。（Ｃ）墨定義テーブルＫＴ１７（M=100%）の一例を示す図である。
【図８】パラメータグラフ３００の一例を示す図である。
【図９】パラメータテーブルＰＴの一例を示す図である。
【図１０】墨定義テーブルＫＴの非等量点セルにおけるK値の算出方法の一例を示す図である。
【図１１】墨定義テーブルＫＴ１を増殖させる様子を示す概念図である。
【図１２】墨定義テーブルＫＴを左に９０度回転させる様子を示す概念図である。
【図１３】１７個の墨定義テーブルＫＴを画像化したイメージＩＭを示す例図である。
【図１４】イメージＩＭを増殖させる様子を示す概念図である。
【図１５】イメージＩＭの増殖が完了した際の一例を示す図である。
【図１６】プロファイル生成装置１の制御部１１による墨定義ファイル生成処理の一例を示すフローチャートである。
【図１７】プロファイル生成装置１の制御部１１によるデバイスリンクプロファイル作成処理の一例を示すフローチャートである。
【図１８】CMYからCMYKのグラデーションの境界部でトーンジャンプが発生する原因を説明するための図である。
【図１９】CMYからCMYKのグラデーションの境界部でトーンジャンプが発生する原因を説明するための図である。
【図２０】（Ａ）はテストパターン１における各階調に対する補正係数を示す図であり、（Ｂ）は当該補正係数により補正したK値に基づく画像ＬＰを示す図である。
【図２１】（Ａ）はテストパターン２における各階調に対する補正係数を示す図であり、（Ｂ）は当該補正係数により補正したK値に基づく画像ＬＰを示す図である。
【図２２】（Ａ）はテストパターン３における各階調に対する補正係数を示す図であり、（Ｂ）は当該補正係数により補正したK値に基づく画像ＬＰを示す図である。
【図２３】（Ａ）はテストパターン４における各階調に対する補正係数を示す図であり、（Ｂ）は当該補正係数により補正したK値に基づく画像ＬＰを示す図である。
【図２４】（Ａ）はテストパターン５における各階調に対する補正係数を示す図であり、（Ｂ）は当該補正係数により補正したK値に基づく画像ＬＰを示す図である。
【図２５】（Ａ）はテストパターン６における各階調に対する補正係数を示す図であり、（Ｂ）は当該補正係数により補正したK値に基づく画像ＬＰを示す図である。
【図２６】（Ａ）（Ｂ）は補正係数を規定する補正直線を含む補正係数規定図である。
【図２７】（Ａ）（Ｂ）は補正係数を規定する補正直線を含む補正係数規定図である。
【図２８】トーンジャンプ軽減処理を示すフローチャートである。
【図２９】墨定義テーブルＫＴの非等量点セルにおけるK値の算出方法の一例を示す図である。
【図３０】（Ａ）従来の手法で作成されたデバイスリンクプロファイルで印刷した画像の一例と、（Ｂ）墨定義ファイルに記述されたK値が反映されたデバイスリンクプロファイルで印刷した画像の一例を示す図である。
【発明を実施するための形態】
【００１９】
以下、図面を用いて本発明の実施形態について説明する。なお、本実施形態は、本発明をプロファイル生成装置１について適用した場合の実施形態である。
【００２０】
［１．プロファイル生成装置１の機能概要及び構成］
プロファイル生成装置１（「墨補正装置」、「墨定義ファイル生成装置」、「デバイスリンクプロファイル作成装置」の一例）は、前段の処理で墨（K）の版量を定義した墨定義ファイルを生成し（「墨定義ファイル生成処理」という。）、後段の処理で、当該生成した墨定義ファイルに基づいてデバイスリンクプロファイルを作成する（「デバイスリンクプロファイル作成処理」という。）。
【００２１】
また、プロファイル生成装置１は、CMYで構成される部分に墨を入れないという制約の下、CMYKのグラデーションの境界部での急激なトーンジャンプを軽減するために、ユーザによりトーンジャンプ軽減オプションが所定の操作により選択された場合に、トーンジャンプを軽減するためのトーンジャンプ軽減処理を行う。トーンジャンプ軽減処理は、墨定義ファイル生成処理により作成された墨定義ファイル、又はデバイスリンクプロファイル作成処理で作成されたデバイスリンクプロファイルから抽出される墨定義ファイルを補正する処理である。
【００２２】
図２（Ａ）に示すように、墨定義ファイルは83521行×４列（C,M,Y,K）で構成される。本実施形態における墨定義ファイルに規定されるK値は0〜255（8ビット）の値であり、256階調の表現が可能となっている。網点面積率と256階調との関係は、0％を「0」、100％を「255」とすると、図２（Ｂ）に示す通りとなる。墨定義ファイルのK値は、デバイスリンクプロファイル作成処理にてデバイスリンクプロファイルのLUT（ルックアップテーブル）におけるデスティネーション側のK値として書き込まれる。一方、墨定義ファイルのC値、M値、Y値についてはLUTには書き込まれない。また、墨定義ファイルには、CMYKの各色について網点面積率を0%〜100%まで6.25%ずつ(17階調)変化させることによりできるそれぞれの組合せ（すなわち、17の4乗（83521）の組合せ。それぞれの組合せは、CMYの３次元の座標（網点面積率）で特定することができる格子点と考えることができる。）について、使用する墨Kの量を決定するためのK値が規定される。
【００２３】
次に、プロファイル生成装置１の構成について説明する。図３に示すように、プロファイル生成装置１は、制御部１１、記憶部１２、インターフェース部１３、表示部１４、及び操作部１５を備えている。
【００２４】
記憶部１２は、例えば、ＨＤＤ（Hard disk drive）等により構成されており、オペレーティングシステムや、アプリケーションプログラム等の各種プログラムを記憶する。特に、本実施形態の記憶部１２は、墨定義ファイルを生成するためのアプリケーションプログラム（墨定義ファイル生成アプリ）及びデバイスリンクプロファイルを生成するためのアプリケーションプログラム（プロファイル生成アプリ）を記憶する。また、記憶部１２には、後述する補正曲線ＨＣから導出される17階調分の補正係数がそれぞれ記憶されている。なお、各種プログラム及び補正係数は、例えば、他のサーバ装置等からネットワークを介して取得されるようにしても良いし、記録媒体に記録されて外付けドライブ装置を介して読み込まれるようにしても良い。
【００２５】
インターフェース部１３は他の装置や機器との間で送受信されるデータの窓口の役割を果たす。例えば、インターフェース部１３は、測色器により測色された測色データを受け付ける。
【００２６】
表示部１４は、例えば、液晶ディスプレイ等により構成されており、オペレータがプロファイル生成装置１を操作する際の操作画面等を表示する。また、操作部１５は、例えば、キーボードやマウス等により構成されており、オペレータの操作を受け付け、操作内容を示す操作信号を制御部１１に送信する。
【００２７】
制御部１１は、演算機能を有するＣＰＵ（Central Processing Unit）、ＲＯＭ（Read Only Memory）、作業用のＲＡＭ（Random Access Memory）、及び図示しない発振回路等を備えて構成されており、操作部１５から受信した操作信号に基づいて、オペレータの操作内容に応じた処理を行う。
【００２８】
［２．墨定義ファイル生成処理］
次に、墨定義ファイル生成処理について説明する。墨定義ファイル生成処理は、制御部１１が墨定義ファイル生成アプリを実行することにより実行される。墨定義ファイル生成処理は、大きく分けて２段階にて墨定義ファイルを生成する。具体的には、第１段階では、17階調分のCMY部（すなわち、17^3=4913点）についてK値を規定する。第２段階では、K部についての17階調をCMY部に乗算する（すなわち、CMY部をK部で拡張すること）ことにより4913×17=83521点のK値を規定する。
【００２９】
［２．１．第１段階：4913点のK値を決定］
第１段階では、表示部１４に墨定義画面１００が表示される。図４に示すように墨定義画面１００は、墨定義グラフ２００、パラメータグラフ３００及び指定完了ボタン４００を含んで構成されている。
【００３０】
図５に示すように、墨定義グラフ２００の左軸はK値の網点面積率を256階調で示し、右軸はK値の網点面積率を百分率で示している。また、墨定義グラフ２００の下軸は17点（17階調）に対応する網点面積率を百分率で示している。墨定義グラフ２００には、K値に対応する17個の墨定義ポイントＰ（Ｐ０〜Ｐ１６）が表示されており、オペレータがマウス等を用いてそれぞれの墨定義ポイントＰを上下方向に動かすことにより、K値を指定（調整）することができるようになっている。17個の墨定義ポイントＰはそれぞれC値、M値及びY値が全て等しい３色等量点におけるK値を示しており、３色等量点における網点面積率は下軸の値で表されている。例えば、下軸で「50%」と示されている位置にある墨定義ポイントＰ８は、C値、M値及びY値が全て50%である点におけるK値を示しており、オペレータは墨定義ポイントＰ８を上下方向に動かすことにより、C値、M値及びY値が全て50%である場合のK値を指定することができる。
【００３１】
また、図６に示すように、墨定義グラフ２００中には、各墨定義ポイントＰを結んだ墨定義曲線ＰＣと、各墨定義ポイントＰに基づく６次のスプライン曲線ＳＣが表示される。オペレータは、墨定義曲線ＰＣとスプライン曲線ＳＣが重なるように各墨定義ポイントＰを動かすことにより、墨定義ファイルにおけるK値の並びを滑らかにすることができる。墨定義ファイルにおけるK値の並びが滑らかでない場合には、後述するデバイスリンクプロファイル作成処理で生成したデバイスリンクプロファイルに基づいて印刷されるグラデーション画像においてトーンジャンプが発生してしまう可能性が高くなる。
【００３２】
ここで、図７を用いて、墨定義ファイル生成処理に置いて用いられる17個の墨定義テーブルＫＴについて説明する。各墨定義テーブルＫＴｎ（ｎ＝１，２，３，…、１７）は、17行×17列のテーブルになっており、一つの墨定義テーブルＫＴにつき、289点のK値が規定される。図７（Ａ）は、M=0%である場合の墨定義テーブルＫＴ１である。墨定義テーブルＫＴの上方に示す数値はC値を示しており、墨定義テーブルＫＴの左方に示す数値はY値を示している。すなわち、墨定義テーブルＫＴ１におけるセルＣ１には(C,M,Y)=(0,0,0)に対応するK値が規定される。セルＣ１に対応するK値としては、図５の墨定義ポイントＰ０に対応する値が規定される。すなわち、オペレータは墨定義ポイントＰ０を上下に操作することにより、セルＣ１に対応するK値を指定することができる。また、図７（Ｂ）に示す、M=6.25%である場合の墨定義テーブルＫＴ２におけるセルＣ２には(C,M,Y)=(6.25,6.25,6.25)に対応するK値が規定される。セルＣ２に対応するK値としては、図５の墨定義ポイントＰ１に対応する値が規定される。更に、図７（Ｃ）に示す、M=100%である場合の墨定義テーブルＫＴ１７におけるセルＣ１７には(C,M,Y)=(100,100,100)に対応するK値が規定される。セルＣ１７に対応するK値としては、図５の墨定義ポイントＰ１６に対応する値が規定される。図示しないが、図７（Ａ）、（Ｂ）、（Ｃ）に示す墨定義テーブルＫＴの他にも、M=12.50%,18.75%,25.00%,31.25%,37.50%,43.75%,50.00%,56.25%,62.50%,68.75%,75.00%,81.25%,87.50%,93.75%に対応する各墨定義テーブルＫＴｎが設けられる。そして、各墨定義テーブルＫＴｎにおいて、C値、M値及びY値が全て等しい３色等量点におけるK値が墨定義ポイントＰの示す値に基づいて規定される。なお、墨定義テーブルＫＴに規定されるK値は、基準となる網点面積率からの増加量を示している。また、各墨定義テーブルＫＴに一つだけ存在する、C値、M値及びY値が全て等しい３色等量点に対応するセル（例えば、墨定義テーブルＫＴ１におけるセルＣ１、墨定義テーブルＫＴ１７におけるセルＣ１７）を「３色等量点セル」という。さらに、本実施形態では墨定義テーブルＫＴｎ毎にM値（「予め設定された2色以外の1色」の一例）を固定して、CY（「予め設定された2色」の一例）の組合せについてK値を記述する構成としたが、C値を固定して、MYの２色の組合せについてK値を記述する構成としたり、Y値を固定して、CMの２色の組合せにK値を記述する構成としたりしてもよい。
【００３３】
次に、図８を参照してパラメータグラフ３００について説明する。パラメータグラフ３００は、図５に示した墨定義グラフ２００で指定（調整）された17点の墨定義ポイントＰ（Ｐ０〜Ｐ１６）を、4913点に拡張する際のパラメータを指定するために用いるグラフである。パラメータグラフ３００には、図７を用いて説明した１７個の各墨定義テーブルＫＴｎに対応する１７本のパラメータ曲線ＴＣが描かれている（図８においては、一部のパラメータ曲線等についてのみ符号（ＴＣ１６、ＴＣ１７、Ｔ１〜Ｔ１６）を付している）。具体的には、各パラメータ曲線ＴＣは、各墨定義テーブルＫＴｎにおけるCMY３色等量点について記述されたK値をもとに、C値及びY値が等量ずつ増えた場合のK値の増加量（倍率）を表している。例えば、図８におけるパラメータ指定ポイントＴ１は、C値及びY値が6.25%増加した場合のK値の増加量（倍率）を示している。オペレータはマウス等を用いて各点Ｔ０〜Ｔ１６を上下方向に動かすことにより、C値及びY値が等量増えた場合のK値の増加量（倍率）を指定（調整）することができるようになっている。また、換言すれば、各パラメータ曲線ＴＣは、各墨定義テーブルＫＴにおけるCY等量点（墨定義テーブルＫＴにおける左下がりの対角線上のセル）に記述されたK値に対応する点Ｔ０〜Ｔ１６（各点をパラメータ指定ポイントＴという。）を結んだ曲線ということができる。
【００３４】
ここで、図９を用いて、パラメータテーブルＰＴについて説明する。パラメータテーブルＰＴはパラメータグラフ３００と連動しており、各セルに記述されている値（倍率）はパラメータグラフ３００における各パラメータ曲線ＴＣの各パラメータ指定ポイントＴに対する操作に従って変化する。また、パラメータテーブルＰＴの各列はそれぞれパラメータ曲線ＴＣに対応しており、「17」と表記されている列はパラメータ曲線ＴＣ１７に対応し、「16」と表記されている列はパラメータ曲線ＴＣ１６に対応している。更に、「16」と表記されている列であって、「18.75」と表記されている行に位置するセル１０２に記述されている値は、パラメータ曲線ＴＣ１６上のパラメータ指定ポイントＴ３が示す値に対応している。すなわち、オペレータはマウス等を用いて各パラメータ指定ポイントＴ０〜Ｔ１６を上下方向に動かすことにより、パラメータテーブルＰＴの値を指定（調整）することができるようになっている。
【００３５】
パラメータグラフ３００において、各墨定義テーブルＫＴｎ（図７参照）に対応する各パラメータ曲線ＴＣの点Ｔ０〜Ｔ１６が指定されることにより、各墨定義テーブルＫＴｎにおける左下がりの対角線上の各セルに記述される値が定められる。具体的には、墨定義グラフ２００によりK値が指定されたセルの値に、パラメータテーブルＰＴに記述された値を乗算することにより値が定められる。例えば、図７（Ｂ）の墨定義テーブルＫＴ２のセルＣ１の値は、セルＣ２の値（すなわち、図５の墨定義ポイントＰ１が示す値）に、パラメータテーブルＰＴにおいて「16」と表記されている列であって、「0.00」と表記されている行に位置するセルＣ１０１に記述されている値（図９の例では「0」）を乗算することにより算出された値となる。また、図７（Ｂ）の墨定義テーブルＫＴ２のセルＣ４の値は、セルＣ２の値（すなわち、図５の墨定義ポイントＰ１が示す値）に、パラメータテーブルＰＴにおいて「16」と表記されている列であって、「18.75」と表記されている行に位置するセルＣ１０２に記述されている値（図９の例では「2.8」）を乗算することにより算出された値となる。なお、各墨定義テーブルＫＴに１６個存在する、C値及びY値が等しい等量点（２色等量点（CY等量点））に対応するセルであって３色等量点に該当しないセル（例えば、墨定義テーブルＫＴ１におけるセルＣ２〜Ｃ１７、墨定義テーブルＫＴ１７におけるセルＣ１〜Ｃ１６）を「２色等量点セル」という。
【００３６】
次に、図１０を用いて、墨定義テーブルＫＴにおける左下がりの対角線上のセル以外のセル（「非等量点セル」という。）にどのような値が記述されるかについて説明する。上述したように、墨定義グラフ２００における各墨定義ポイントＰと、パラメータグラフ３００における各パラメータ指定ポイントＴが指定されることにより、墨定義テーブルＫＴの対角線上の３色等量点セル及び２色等量点セルに記述される値が定められる。そして、図１０に示すように３色等量点セル及び２色等量点セルにそれぞれa〜qが定められている場合であれば、非等量点セルには各セル内の数式によって算出される値が記述される。なお、図１０に示す数式は墨定義テーブルＫＴ１から墨定義テーブルＫＴ１７まで共通に用いることができる。このようにして、各墨定義テーブルＫＴｎの全セル（３色等量点セル、２色等量点セル及び非等量点セル）のK値（すなわち、4913個のK値）が定まる。
【００３７】
ここで、非等量点セルのK値の決定方法について簡単に説明する。図１０に示すように、制御部１１は、M（「予め設定された2色以外の1色」の一例）の階調毎に、CY（「予め設定された2色」の一例）の網点面積率が異なる格子点を、CYの網点面積率が低い階調（0.00%）から順に、CYのうち少なくとも何れか1色の網点面積率が等しい格子点同士でグルーピングされたグループを特定し、このグルーピングをする際の基準となった基準網点面積率（一つ目のグループであれば0.00%）が低い階調のグループから順に、当該グループに属する各格子点の墨(K)値を、基準網点面積率とCYの網点面積率が等しい格子点（2色等量点セル）におけるK値に基づいて決定する。より具体的には、制御部１１は、基準網点面積率が最も低いグループ（基準網点面積率が0.00%のグループ）については、当該グループに属する各格子点のK値として、当該基準網点面積率とCYの網点面積率が等しい格子点におけるK値を決定する。また、基準網点面積率が最も低いグループ以外のグループ（例えば、基準網点面積率が6.25%のグループ）については、当該グループに属する各格子点のK値として、当該基準網点面積率とCYの網点面積率が等しい格子点におけるK値（図１０の例ではb）と、当該基準網点面積率より1階調高い網点面積率（12.50%）とCYの網点面積率が等しい格子点におけるK値（図１０の例ではc）と、の平均値（(b+c)/2）を決定する。なお、制御部１１は、図１０に示すような或いは別の形式の、予めグループ毎にK値を算出するための数式が記述されたテーブルを記憶部１２から読み出して、各非等量点セルのK値を決定することとしてもよいし、プログラム中に記述された数式に基づいて、決定することとしてもよい。
【００３８】
オペレータは、図５に示す墨定義グラフ２００において17点のK値の指定（調整）が完了するとともに、図８に示すパラメータグラフ３００においてパラメータの指定（調整）が完了した場合に、指定完了ボタン４００を選択（クリック）する操作（「指定完了操作」という。）を行うようになっている。
【００３９】
［２．２．第２段階：4913点のK値を83521点に拡張］
指定完了ボタン４００が選択（クリック）されると、第２段階に移行し、各墨定義テーブルＫＴｎに規定された4913点のK値が更に拡張され、83521点のK値が取得される。具体的には、図１１に示すように、289点のK値が規定された墨定義テーブルＫＴ１に、17階調の網点面積率（1, 0.9375, 0.875, 0.8125, 0.75, 0.6875, 0.625, 0.5625, 0.5, 0.4375, 0.375, 0.3125, 0.25, 0.1875, 0.125, 0.0625, 0)をそれぞれ個別に掛け合わせることで、新たに墨定義テーブルＫＴ１−１〜ＫＴ１−１７を生成し、4913点のK値を取得する。同様の処理を、墨定義テーブルＫＴ２〜ＫＴ１７に対しても行うことで、83521(=4913点×17)点のK値を取得することができる。
【００４０】
第２段階を、イメージ図を用いて説明する。まず、図７を用いて説明した各墨定義テーブルＫＴｎを図１２に示すように左に９０度回転させ、図１３に示すように各墨定義テーブルＫＴｎをＭ値が小さい方から順に左から右に並べた状態で、墨定義テーブルＫＴ毎に、各セルに規定されたK値に基づくイメージＩＭを作成する。イメージＩＭには、各墨定義テーブルＫＴｎに規定されたK値に基づいて表現された１７個の墨定義テーブルイメージＩＭｎ（ｎ＝１、２、３、…、１７）が含まれる。つまり、イメージＩＭは、289個のK値で表現された墨定義テーブルイメージＩＭが17個示されていることから、4913（289×17）個のK値により表現されているということができる。図１３において、バツ印５１１（図１３ではＩＭ１、ＩＭ１６及びＩＭ１７についてのみ表示している。）は、それぞれ各墨定義テーブルＫＴにおける等量点セルに対応する。すなわち、バツ印５１１を結ぶ線５１２は、墨定義曲線ＰＣに対応する。一方、各イメージＩＭ内の右下がりの直線５１３（図１３では、ＩＭ７、ＩＭ１１及びＩＭ１２についてのみ表示している。）が、各パラメータ曲線ＴＣに対応する。そして、各墨定義テーブルＫＴにおける左下がりの対角線上の各セルに記述されたK値は、各ＩＭ内の直線５１３とバツ印５１１との交点を基点に算出されることとなる。また、その他のセルについては、図１０を用いて上述した通り、直線５１３を基準に対称となるようにK値が算出されることとなる。
【００４１】
次いで、図１４に示すように、イメージＩＭに、17階調の網点面積率（1, 0.9375, 0.875, 0.8125, 0.75, 0.6875, 0.625, 0.5625, 0.5, 0.4375, 0.375, 0.3125, 0.25, 0.1875, 0.125, 0.0625, 0)をそれぞれ個別に掛け合わせることで、Ｋの濃度が異なるイメージＩＭを１７個作成する（図１５参照）。これにより、4913（289×17）個のK値により表現されるイメージＩＭが１７個できたことになり、83521（4913×17）個のK値を取得したこととなる。
【００４２】
なお、各墨定義テーブルＫＴ１−１〜ＫＴ１−１７、・・・、ＫＴ１７−１〜ＫＴ１７−１７の各セルには、基準となるK値からの増加量が規定されているため、制御部１１は、基準となるK値に増加量を加算することでK値の絶対値を算出する。なお、基準となるK値とは、目的となるデバイスリンクプロファイルの入力側の格子点（本実施形態では、6.25%間隔の17^4個の格子点）におけるK値を意味する。そして、制御部１１は、絶対値に変換された83521個のK値を、図２（Ａ）に示すLUTに対応する形式で記述した墨定義ファイルを生成する。
【００４３】
［２．３．フローチャート］
ここで、図１６のフローチャートを用いて、プロファイル生成装置１の制御部１１による墨定義ファイル生成処理について説明する。
【００４４】
まず、制御部１１は、図４に示した墨定義画面１００を表示部１４に表示させる（ステップＳ１）。次いで、制御部１１は、指定完了操作を検出したか否かを判定する（ステップＳ２）。このとき、制御部１１は、指定完了操作を検出したと判定したときには（ステップＳ２：ＹＥＳ）、ステップＳ７の処理に移行する。一方、制御部１１は、指定完了操作を検出していないと判定したときには（ステップＳ２：ＮＯ）、次いで、墨定義グラフ２００における墨定義ポイントＰに対する操作を検出したか否かを判定する（ステップＳ３）。このとき、制御部１１は、墨定義ポイントＰに対する操作を検出したと判定したときには（ステップＳ３：ＹＥＳ）、検出した操作に応じて、墨定義テーブルＫＴを更新し（ステップＳ４）、ステップＳ５の処理に移行する。一方、制御部１１は、墨定義ポイントＰに対する操作を検出していないと判定したときには（ステップＳ３：ＮＯ）、ステップＳ５の処理に移行する。
【００４５】
次いで、制御部１１は、パラメータグラフ３００におけるパラメータ指定ポイントＴに対する操作を検出したか否かを判定する（ステップＳ５）。このとき、制御部１１は、パラメータ指定ポイントＴに対する操作を検出したと判定したときには（ステップＳ５：ＹＥＳ）、検出した操作に応じて、墨定義テーブルＫＴを更新し（ステップＳ６）、ステップＳ２の処理に移行する。一方、制御部１１は、パラメータ指定ポイントＴに対する操作を検出していないと判定したときには（ステップＳ５：ＮＯ）、ステップＳ２の処理に移行する。
【００４６】
このように、制御部１１は、指定完了操作が検出されるまでの間、墨定義ポイントＰに対する操作及びパラメータ指定ポイントＴに対する操作に応じて、墨定義テーブルＫＴを更新する。そして、制御部１１は、指定完了操作が検出されると、それまでの間に更新された墨定義テーブルＫＴの内容に基づいて墨定義ファイルを出力する（ステップＳ７）。
【００４７】
［３．デバイスリンクプロファイル作成処理］
次に、デバイスリンクプロファイル作成処理について説明する。デバイスリンクプロファイル作成処理は、制御部１１がプロファイル生成アプリを実行することにより行われる。デバイスリンクプロファイル作成処理は、墨定義ファイル生成処理により生成された墨定義ファイルを用いて、デバイスリンクプロファイルを生成する処理である。以下、デバイスリンクプロファイル作成処理を３段階に分けて説明する。
【００４８】
［３．１．第１段階：ターゲット側及びデスティネーション側のデバイスプロファイルの作成］
デバイスリンクプロファイルを作成するために、まず、再現させるべき色（ターゲット）を印刷する印刷機Ａと、ターゲットに近い色（デスティネーション）を印刷すべき印刷機Ｂのデバイスプロファイルを作成する。ここで、ターゲット側のデバイスプロファイルを作成する手順について説明する。
（１）印刷機ＡによりCMYKチャート（例えば1000点のパッチを有するチャート）を印刷する。
（２）印刷されたCMYKチャートを測色器で測色し、L*a*b*値を取得することにより、1000点分のCMYK値とL*a*b*値の組を作成する。
（３）プロファイル生成アプリを用いて、1000点分の組を予め設定された組数分（本実施形態では、83521組分）の組に拡張することによりデバイスプロファイルを作成する。なお、1000組から83521組に拡張する際には、線形補間法を用いることができる。また、ここではターゲット側のデバイスプロファイルを印刷機Ａにより印刷したCMYKチャートを元に作成したが、JapanColorとして認証されたデバイスプロファイルをターゲット側のデバイスプロファイルとして用いることとしてもよい。
同様に、（１）で印刷機ＢによりCMYKチャートを印刷し、（２）、（３）の手順に従うことで、デスティネーション側のデバイスプロファイルを作成することができる。
なお、第１段階の処理については、従来市販のソフトウェアの一般的な機能として実現される。
【００４９】
［３．２．第２段階：墨定義ファイルに記述されたK値の反映］
次いで、デスティネーション側のデバイスプロファイルのCMYK値におけるK値に対して、墨定義ファイルに記述されたK値を反映させる手順について説明する。まず、墨定義ファイルから墨使用リストを作成する。墨定義ファイルには83521点のK値が記述されており、その値は0〜255の何れかの値を持っている。そこで、墨定義ファイルに記述されたK値のみを抽出して墨使用リストを作成する。このとき、重複しているK値については一つだけ抽出する。すなわち、墨使用リストには最大で256個のK値が記述されることとなる。墨使用リストを作成する理由は、K値を83521点分保持したままだと、ＲＡＭの容量不足となり後続の演算を行うことができなくなる場合があるからである。
【００５０】
次いで、墨使用リストに記述された各K値について、CMY17階調分（17＾3=4913個分）のL*a*b*値を推定し、デスティネーション側のL*a*b*空間を作成する。具体的には、K値を網点面積率に変換した上で、先に作成したデスティネーション側のデバイスプロファイルに基づいてL*a*b*値を推定する。この推定は、存在する組合せの中から線形補間法を用いてL*a*b*値を算出することにより行われる。例えば、墨使用リストに記述されたK値が10個あれば、49130点（=4913点×10）のL*a*b*値を推定する。このことは、デスティネーション側のデバイスプロファイルにおけるK値を墨定義ファイルに基づいて補正することの一例に当たる。
【００５１】
［３．３．第３段階：ターゲットとデスティネーションの対応付け］
最後に、ターゲット側の83521点分のL*a*b*値と、デスティネーション側のL*a*b*空間を形成するL*a*b*値とに基づいてデバイスリンクプロファイルを作成する。具体的には、ターゲット側のL*a*b*値を一つ選択して、構成色が同一であり且つ色差ΔEが最小となるデスティネーション側のL*a*b*値を探索し、選択したL*a*b*値に対応するCMYK値と対応付けて探索したL*a*b*値に対応するCMYK値をデバイスリンクプロファイルに書き込むという処理を、83521点分行う。これによりデバイスリンクプロファイルが完成する。
【００５２】
［３．４．フローチャート］
ここで、図１７のフローチャートを用いて、プロファイル生成装置１の制御部１１によるデバイスリンクプロファイル作成処理について説明する。なお、当該フローチャートの処理が実行される前までに、ターゲット側のデバイスプロファイル、デスティネーション側のデバイスプロファイル、及び墨定義ファイルが記憶部１２に記憶されているものとする。
【００５３】
まず、制御部１１は、記憶部１２に記憶されている墨定義ファイルに基づいて墨生成リストを作成する（ステップＳ３１）。次いで、制御部１１は、デスティネーション側のL*a*b*空間を作成する（ステップＳ３２）。
【００５４】
次に、制御部１１は、83521点あるターゲット側のL*a*b*値の中から一つのL*a*b*値を選択する（ステップＳ３３）。次いで、制御部１１は、デスティネーション側のL*a*b*空間の中から、ステップＳ３３の処理で選択したL*a*b*値と色差ΔEが最小となるL*a*b*値を探索する（ステップＳ３４）。次いで、制御部１１は、ターゲット側のCMYK値（ステップＳ３３の処理で選択したL*a*b*値と組をなすCMYK値）と、デスティネーション側のCMYK値（ステップＳ３４の処理で探索したL*a*b*値と組をなすCMYK値）を対応付けてデバイスリンクプロファイルに書き込む（ステップＳ３５）。
【００５５】
次に、制御部１１は、ステップＳ３３の処理を繰り返したことにより、ターゲット側のL*a*b*値を全て（83521点分）選択したか否かを判定する（ステップＳ３６）。このとき、制御部１１は、全て選択したと判定した場合には（ステップＳ３６：ＹＥＳ）、当該フローチャートの処理を終了する。一方、制御部１１は、全て選択していないと判定した場合には（ステップＳ３６：ＮＯ）、ステップＳ３３の処理に移行する。
【００５６】
［４．トーンジャンプ軽減処理］
次に、図１８−２８を用いて、トーンジャンプ軽減処理について説明する。まず、図１に示した急激なトーンジャンプが発生する原因について図１８、１９を用いて説明する。
【００５７】
［４．１．トーンジャンプの原因］
図１８は、墨定義ファイルに規定された83521（17^4）点におけるK値と、基準となるK値（使用しても変換がかからないデバイスリンクプロファイル（すなわち、リニアのデバイスリンクプロファイル（例えばK6.25%の値で、他が0%だった場合、変換後の値も6.25%が書き込まれる）の値。）との差分量（増加量）を画像化した画像ＬＰを示している。例えば、ターゲット側のデバイスプロファイルのCMYK値におけるK値が6.25％であり、墨定義ファイルでは12.5％であれば、画像ＬＰでは、6.25%（＝12.5%−6.25%）の網点面積率が表現される。
【００５８】
図１８（Ａ）は、３次色以下では墨を入れないという制約条件に従わなかった場合（すなわち、３次色以下で墨を入れた場合）の画像ＬＰを示しており、図１８（Ｂ）は当該制約条件に従った場合（すなわち、３次色以下で墨を入れなかった場合）の画像ＬＰを示している。したがって、図１８（Ｂ）においてK値が0%である部分は白くなっている。
【００５９】
画像ＬＰは17×17の小さな画像ＳＰの集合により構成されている。図１９は、小さな画像ＳＰを拡大した模式図である。小さな画像ＳＰも、画像ＬＰと同様に17×17のマス目により構成されている。つまり、画像ＬＰと小さな画像ＳＰの組合せにより、墨定義ファイルに規定された83521（17^4）点のK値を表現している。
【００６０】
小さな画像ＳＰは、元データ（リニアのデバイスリンクプロファイル）のM値、K値を固定（例えば、M値＝100%、K値＝0%）とし、左上隅を基準（0％）に右方向に元データのC値が6.25％ずつ増加し、且つ、下方向に元データのY値が6.25％ずつ増加するように、墨定義ファイルに基づいて算出されるK値（ターゲット側のデバイスプロファイルのCMYK値におけるK値からの増加量）を配置して画像化したものである。
【００６１】
一方、画像ＬＰでは、元データのC値、Y値を固定とし、左上隅を基準（0％）に右方向に元データのM値が6.25％ずつ増加し、且つ、下方向に元データのK値が6.25％ずつ増加するように小さな画像ＳＰが配置されている。例えば、図１８（Ａ）、（Ｂ）の画像ＬＰにおける右上隅に配置される小さな画像ＳＰは、元データのM値を100%、元データのK値を0%にそれぞれ固定して作成された画像である。
【００６２】
ここで、図１８（Ａ）に示す画像ＬＰを見ると、K=0%の階調（第１階調。以降、Kが6.25％上昇する毎に第２階調、第３階調、・・・、と階調が上がっていく。）に対応する部分に墨が混入していることがわかる。一方、図１８（Ｂ）に示す画像ＬＰを見ると、第１階調に対応する部分に墨が混入していないことがわかる。これらの図から、第１階調に対応する部分に墨を混入させないことで、墨を混入させた場合に生じる問題（CMYで構成される画像に墨が混入した場合、混入した墨がざらつき（粒状性）として認識されて品質低下につながる問題等）を回避することができるが、一方で、第１階調に対応する部分からK=6.25%の階調（第２階調）に対応する部分での急激な墨量の変化があるため、図１に示したように急激なトーンジャンプが発生してしまうと考えられる。
【００６３】
これを踏まえると、第１階調に対応する部分から第２階調に対応する部分で急激な墨量の変化が生じないように墨定義ファイルに規定されたK値（或いは、墨定義ファイルに規定されたK値と、基準となるK値（ターゲット側のデバイスプロファイルのCMYK値におけるK値）との差分量）を補正すれば、急激なトーンジャンプの発生を軽減できると考えられる。そこで、本願の発明者は、以下に説明するテストを実施した。
【００６４】
［４．２．テスト］
発明者は、図１８（Ｂ）の画像ＬＰにおける第１階調からK=100%の階調（第１７階調）までの行毎（すなわち、K値の階調毎）に補正係数を定め、その行に配置された各画像の基となったK値に補正係数を乗算して、画像化するテストを実施した。
【００６５】
［４．２．１．テストパターン１］
図２０（Ａ）はテストパターン１におけるK値の各階調に対する補正係数を示す図であり、図２０（Ｂ）は当該補正係数により補正したK値に基づく画像ＬＰを示す図である。図２０（Ａ）において縦軸は補正係数を示しており、横軸は補正係数を乗算する対象のK値（「１」はK値＝0％、「２」はK値＝6.25％、・・・、「１７」はK値＝100％）の階調を示している。図２０（Ａ）には、K値＝0％（「第１階調」の一例）の補正係数を「0」とする点（「始点」の一例）と、K値＝100％（「第ｎ階調」の一例）の補正係数を「1」とする点（「終点」の一例）を結んだ基準線ＢＬ（「基準直線」の一例）を引いている。テストパターン１では、基準線ＢＬ上に補正係数を示す点が位置するように補正係数を定めた。
【００６６】
図２０（Ｂ）は、図２０（Ａ）に示す各補正係数を、それぞれ対応する階調のK値に乗算して、画像化した画像ＬＰである。図２０（Ｂ）を見ると、K=0%（第１階調）の部分からK=6.25%（第２階調）の部分での急激なトーンジャンプは軽減されているが、アクロ率（墨の使用量）が大幅に低下している。つまり、CMYをKで補完することによりCMYのインク量を減らすというアクロマチック製版の趣旨に反してしまい、好ましいテスト結果とは言えない。
【００６７】
［４．２．２．テストパターン２］
図２１（Ａ）はテストパターン２における各階調に対する補正係数を示す図であり、図２１（Ｂ）は当該補正係数により補正したK値に基づく画像ＬＰを示す図である。テストパターン２では、図２１（Ａ）に示すように補正係数を定めた。具体的には、K値=0%（第１階調）からK値=68.75%（第１２階調）までの部分では基準線ＢＬ上の値より低い値を補正係数として定め、K値=75.00%より大きい部分では基準線ＢＬ上の値を補正係数として定めた。なお、以下、補正係数を結んだ曲線を補正曲線ＨＣと呼ぶ。図２１（Ｂ）を見ると、テストパターン１と同様に、K=0%（第１階調）の部分からK=6.25%（第２階調）の部分での急激なトーンジャンプは軽減されているが、アクロ率（墨の使用量）が大幅に低下している。
【００６８】
［４．２．３．テストパターン３］
図２２（Ａ）はテストパターン３における各階調に対する補正係数を示す図であり、図２２（Ｂ）は当該補正係数により補正したK値に基づく画像ＬＰを示す図である。テストパターン３では、図２２（Ａ）に示すように補正係数を定めた。具体的には、K値=0%からK値=6.25%までの部分では基準線ＢＬ上の値を補正係数として定め、K値=12.50%（第３階調）より大きい部分では「1」を補正係数として定めた。つまり、K=0%（第１階調）の部分からK=6.25%（第２階調）の部分で急激な墨量の変化が生じないようにK値=6.25%（第２階調）の墨量を減らすとともに、アクロ率が低下しないようにして、その他の部分ではK値を変更しないこととした。図２２（Ｂ）を見ると、K=0%（第１階調）の部分からK=6.25%（第２階調）の部分での急激なトーンジャンプは軽減されているが、K=6.25%（第２階調）の部分からK=12.50%（第３階調）の部分で急激なトーンジャンプが発生してしまっている。
【００６９】
［４．２．４．テストパターン４］
図２３（Ａ）はテストパターン４における各階調に対する補正係数を示す図であり、図２３（Ｂ）は当該補正係数により補正したK値に基づく画像ＬＰを示す図である。テストパターン４では、図２３（Ａ）に示すように補正係数を定めた。具体的には、K値=0%からK値=68.75%までの部分では基準線ＢＬ上の値を補正係数として定め、K値=75.00%より大きい部分では「1」を補正係数として定めた。図２３（Ｂ）を見ると、全体的に急激なトーンジャンプは軽減されているが、アクロ率（墨の使用量）が低下している。
【００７０】
［４．２．５．テストパターン５］
図２４（Ａ）はテストパターン５における補正係数を示す図であり、図２４（Ｂ）は当該補正係数により補正したK値に基づく画像ＬＰを示す図である。テストパターン５では、図２４（Ａ）に示すように補正係数を定めた。図２４（Ｂ）を見ると、全体的に急激なトーンジャンプが軽減されるとともに、アクロ率（墨の使用量）の低下も許容範囲に収まっている。
【００７１】
［４．２．６．テストパターン６］
図２５（Ａ）はテストパターン６における各階調に対する補正係数を示す図であり、図２５（Ｂ）は当該補正係数により補正したK値に基づく画像ＬＰを示す図である。テストパターン６では、図２５（Ａ）に示すように補正係数を定めた。図２５（Ｂ）を見ると、全体的に急激なトーンジャンプが軽減されるとともに、アクロ率（墨の使用量）の低下も許容範囲に収まっている。
【００７２】
［４．２．７．テストの検証］
以上のテストの結果から、テストパターン５、６で好ましい結果が得られた。したがって、図２４（Ａ）又は図２５（Ａ）に示した補正曲線ＨＣから導出される補正係数によって墨定義ファイルに規定されたK値を補正することにより、K=0%の部分（第１階調）からK=6.25%（第２階調）の部分だけでなく全体で急激な墨量の変化を抑制することができ、図１に示したような急激なトーンジャンプの発生を低減できる。これに加えて、アクロ率の大幅な低下も避けることができる。
【００７３】
また、図２４（Ａ）又は図２５（Ａ）に示した補正曲線ＨＣに限らず、補正曲線ＨＣを簡略化した補正係数線から導出される補正係数を、乗算することとしても同様の結果が得られる。ここで、図２６、２７を用いて補正係数線について説明する。図２６（Ａ）、（Ｂ）、図２７（Ａ）、（Ｂ）はいずれも補正係数線を描いた補正係数規定図の一例を示す図である。
【００７４】
補正係数線は、３本以上の補正直線が連結された線である。図２６（Ａ）、（Ｂ）では、補正係数線は３本の補正直線ＨＬ１、ＨＬ２、ＨＬ３で構成されている。図２７（Ａ）では、補正係数線は４本の補正直線ＨＬ１、ＨＬ２、ＨＬ３、ＨＬ４で構成されている。図２７（Ｂ）では、補正係数線は５本の補正直線ＨＬ１、ＨＬ２、ＨＬ３、ＨＬ４、ＨＬ５で構成されている。ここでは、補正係数線が５本で構成されるケースまで図示したが、補正係数線を６本以上で構成することとしてもよい。なお、以下、図２６（Ａ）を中心に説明するが、図２６（Ｂ）、図２７（Ａ）、（Ｂ）についても同様である。
【００７５】
図２６（Ａ）に示すように、補正直線ＨＬ１は点ＨＰ０と点ＨＰ１を結ぶ直線である。補正直線ＨＬ１は、K=6.25%（第１階調）の補正係数を示す点ＨＰＰが少なくとも基準線ＢＬより上方に向かって伸びる直線である。また、補正直線ＨＬ２は点ＨＰ１と点ＨＰ２を結ぶ直線である。更に、補正直線ＨＬ３は点ＨＰ２と点ＨＰ３を結ぶ直線である。つまり、補正係数線は点ＨＰ０（「始点」の一例）からＨＰ３（「終点」の一例）までを結ぶ線ということができる。
【００７６】
補正直線ＨＬ２と補正直線ＨＬ３の傾きは、補正直線ＨＬ１の傾きより緩やかである。このとき、補正直線ＨＬ３の傾きが補正直線ＨＬ２の傾きより更に緩やかであることが好ましい。また、補正直線ＨＬ２と補正直線ＨＬ３の傾きは「正」であることが好ましい。こうして描かれる補正直線ＨＬ１、ＨＬ２、ＨＬ３上の点又はその近傍の点が示す補正係数を階調毎に抽出して、K値に乗算することにより、急激なトーンジャンプが軽減することができる。
【００７７】
また、図２６（Ａ）における右側５０％の領域に示される階調（すなわち、本実施形態では、K=50.00%（第９階調）からK=100%（第１７階調）までの領域に示される階調。「網点面積率が50%以上の階調」の一例）では、補正直線ＨＬ３を補正係数が略「1」となるように引くのが好ましい（換言すれば、網点面積率が50%以上の階調については、補正係数を略1とするのが好ましい）。これにより、アクロ率の大幅な低下を抑制することができる。
【００７８】
更に、K=6.25%の階調（「第２階調」の一例）に対応する補正係数を示す点ＨＰＰが、基準線ＢＬ上の点ＨＨ１から補正係数0.8000を示す点ＨＨ２の間に位置するように補正直線ＨＬ１を引くのが好ましい。これにより、トーンジャンプ発生の原因であるK=0%の階調（「第１階調」の一例）とK=6.25%の階調（「第２階調」の一例）の墨量の差を抑えることができ、トーンジャンプの発生を軽減することができる。
【００７９】
なお、補正曲線ＨＣ（例えば、図２４（Ａ）、図２５（Ａ）参照）、又は、補正直線ＨＬ（例えば、図２６（Ａ）、（Ｂ）、図２７（Ａ）、（Ｂ）参照）から導出される17階調分の補正係数はそれぞれ記憶部１２に記憶され、次に説明するトーンジャンプ軽減処理で用いられる。
【００８０】
［４．３．トーンジャンプ軽減処理の流れ］
図２８を用いて、制御部１１によるトーンジャンプ軽減処理について説明する。なお、トーンジャンプ軽減処理の対象は墨定義ファイルである。トーンジャンプ軽減処理が実行されるケースとして２つのケースが考えられる。一方は、デバイスリンクプロファイルを作成する際、ユーザによりトーンジャンプ軽減オプションが選択されたケースである。もう一方は、既に作成されているデバイスリンクプロファイルについて、トーンジャンプ軽減オプションが選択された上で、デバイスリンクプロファイルの再作成指示を受け付けたケースである。後者のケースにおいては、デバイスリンクプロファイルからデスティネーション側のプロファイルを抜き出し、そこからK値を抽出して作成される墨定義ファイルに対して処理が実行される。
【００８１】
まず、制御部１１は、墨定義ファイルに規定された83521（17^4）点におけるK値と、基準となるK値（リニアのデバイスリンクプロファイルの値）との差分量（増加量）を、階調に基づいて17つのグループにグルーピングする（ステップＳ１０１）。具体的には、制御部１１は、基準となるK値毎に差分量をグルーピングする。次いで、制御部１１は、グループ毎に、対応する階調の補正係数を記憶部１２から読み出して乗算し（ステップＳ１０２）、トーンジャンプ軽減処理を終了する。なお、トーンジャンプ軽減処理後は、補正された差分量（増加量）に基づいて墨定義ファイルのK値が書き換えられ、次いで、当該書き換え後の墨定義ファイルを使用してデバイスリンクプロファイル作成処理（図１７参照）が実行されて、デバイスリンクプロファイルが作成される。
【００８２】
以上説明したように、本実施形態におけるプロファイル生成装置１は、CMYK各色の網点面積率を第１階調から第１７階調に分けることにより17^4個の格子点を持ち、CMYKをCMYKに変換するデバイスリンクプロファイルであり、３次色以下では墨を発生させないアクロマチック製版用のデバイスリンクプロファイルにおける、デスティネーション側のデバイスプロファイルに規定される墨(K)の網点面積率を補正する。制御部１１（「補正係数取得手段」、「乗算手段」の一例）は、17^4個の各格子点におけるターゲット側のデバイスプロファイルに規定される墨(K)の網点面積率と、デスティネーション側のデバイスプロファイルに規定される墨(K)の網点面積率の差分値を補正するための補正係数を、墨(K)の階調毎に取得し、墨(K)の階調毎に、当該取得した補正係数を差分値に乗算する。補正係数は、縦軸に0から1の補正係数をとり、横軸に17階調分の階調をとる補正係数規定図における補正係数線から導出され、補正係数規定図において、少なくとも３本以上の連結された補正直線ＨＬで構成される補正係数線は、補正係数が0を示し且つ網点面積率が0%である第１階調を示す点である始点から、補正係数が1を示し且つ網点面積率が100%である第17階調を示す点である終点までを結び、全ての補正直線ＨＬは、始点と終点を結ぶ基準線ＢＬより上方の領域に位置し（補正直線ＨＬ１が基準線ＢＬと点ＨＰ０（始点）を共有するが、本願では、補正直線ＨＬ１も基準線ＢＬの上方の領域に位置すると解釈することとする）、始点から伸びる１本目の補正直線ＨＬ１の傾きは、２本目以降の補正直線ＨＬ２、ＨＬ３等の傾きよりも大きく、K値=6.25%に対応する階調（第２階調）の補正係数が0.8以下となる。
【００８３】
本実施形態のプロファイル生成装置１によれば、K値=6.25%に対応する階調（第２階調）の墨量を0.8倍以下に抑えることにより、トーンジャンプ発生の原因であるK値=0%に対応する階調（第１階調）の墨量とK値=6.25%に対応する階調（第２階調）の墨量の差を小さくすることができ、トーンジャンプの軽減を図ることができる。また、K値=6.25%に対応する階調（第２階調）からK値=100%に対応する第１７階調についても急激に墨量に乗算される補正係数が大きくなることはないため、第２階調から第１７階調の部分についても墨量の急激な変化が起きることがなく、トーンジャンプが発生することを防ぐことができる。
【００８４】
また、プロファイル生成装置１は、CMYK各色の網点面積率を17階調に分けることにより17^4個の格子点を持つデバイスリンクプロファイルにおけるデスティネーション側のK値（墨値）を定義する墨定義ファイルを生成する。制御部１１（「第１表示制御手段」、「第１取得手段」の一例）は、CMY各色の網点面積率が等しい17個の３色等量点セル（「等量格子点」）におけるK値をユーザに指定させるための墨定義グラフ２００（「墨(K)値指定画面」の一例）を表示部１４に表示させ、墨定義グラフ２００にて指定された17個の３色等量点セル（「等量格子点」）におけるK値を取得する。また、制御部１１は（「第２表示制御手段」、「第２取得手段」の一例）取得した17個のK値に基づいて、CY（「CMYのうち予め設定された2色」の一例）の2色等量点セル（「網点面積率が等しい格子点」）におけるK値を算出するための17^2個のパラメータをユーザに指定させるためのパラメータグラフ３００（「パラメータ指定画面」の一例）を表示部１４に表示させ、パラメータグラフ３００にて指定された17^2個のパラメータを取得する。また、制御部１１（「算出手段」、「決定手段」の一例）は、M（「CMYのうち予め設定された2色以外の1色」の一例）の階調毎に、３色等量点セルにおけるK値とパラメータに基づいて、CYの２色等量点セルにおけるK値を算出し、Mの階調毎に、３色等量点セルにおけるK値とCYの２色等量点セルにおけるK値に基づいて、非等量点セル（「CYの網点面積率が異なる格子点」）におけるK値を決定する。また、制御部１１（「生成手段」の一例）は、３色等量点セルにおけるK値と、２色等量点セルにおけるK値と、非等量点セルにおけるK値を含む墨定義ファイルを生成する。
【００８５】
また、プロファイル生成装置１（「デバイスリンクプロファイル作成装置」の一例）は、生成した墨定義ファイルに基づいて、デバイスリンクプロファイルを作成する。制御部１１（「デバイスプロファイル取得手段」、「補正手段」、「デバイスリンクプロファイル作成手段」の一例）が、ターゲット側のデバイスプロファイルと、デスティネーション側のデバイスプロファイルを取得し、デスティネーション側のデバイスプロファイルにおけるK値を墨定義ファイルに基づいて補正し、取得したターゲット側のデバイスプロファイルと、補正したデスティネーション側のデバイスプロファイルに基づいてデバイスリンクプロファイルを作成する。
【００８６】
プロファイル生成装置１によれば、ユーザにより指定されたCMY各色の網点面積率が等しい17個の３色等量点におけるK値に加え、ユーザにより指定された情報を基に、M毎に、CY2色の網点面積率が等しい２色等量点におけるK値と当該CY2色の網点面積率が異なる非等量点におけるK値を取得することができ、これらのK値が定義された墨定義ファイルが生成される。すなわち、墨発生量を規定する墨定義ファイルにおいて、ユーザがCMYK全空間において墨発生量を指定することができ、自由度を向上させることができる。
【００８７】
なお、上記実施形態では、図１０に示す例に従って非等量点セルのK値の決定方法について説明したが、図２９に示す例に従って非等量点セルのK値を決定することとしてもよい。具体的には、図２９に示すように、制御部１１は、M（「予め設定された2色以外の1色」の一例）の階調毎に、CY（「予め設定された2色」の一例）の網点面積率が異なる格子点を、CYの網点面積率が高い階調（100%）から順に、CYのうち少なくとも何れか1色の網点面積率が等しい格子点同士でグルーピングされたグループを特定し、このグルーピングをする際の基準となった基準網点面積率（一つ目のグループであれば100%）、が高い階調のグループから順に、当該グループに属する各格子点の墨(K)値を、基準網点面積率とCYの網点面積率が等しい格子点（2色等量点セル）におけるK値に基づいて決定する。より具体的には、制御部１１は、基準網点面積率が最も高いグループ（基準網点面積率が100%のグループ）については、当該グループに属する各格子点のK値として、当該基準網点面積率とCYの網点面積率が等しい格子点におけるK値を決定する。また、基準網点面積率が最も低いグループ以外のグループ（例えば、基準網点面積率が93.75%のグループ）については、当該グループに属する各格子点のK値として、当該基準網点面積率とCYの網点面積率が等しい格子点におけるK値（図２９の例ではp）と、当該基準網点面積率より1階調低い網点面積率（87.50%）とCYの網点面積率が等しい格子点におけるK値（図２９の例ではo）と、の平均値（(o+p)/2）を決定する。
【００８８】
また、上記実施形態では、「CMY各色の網点面積率が等しいn個の等量格子点における墨(K)値をユーザに指定させるための墨(K)値指定画面」の一例として墨定義グラフ２００について説明したが、墨(K)値指定画面は他の形式とすることもできる。例えば、各等量格子点のK値を直接数値入力できるような墨(K)値指定画面としてもよい。
【００８９】
さらに、上記実施形態では、「CMYのうち予め設定された2色の網点面積率が等しい格子点における墨(K)値を算出するためのn^2個のパラメータをユーザに指定させるためのパラメータ指定画面」の一例としてパラメータグラフ３００について説明したが、パラメータ指定画面は他の形式とすることもできる。例えば、各パラメータを、直接数値入力できるようなパラメータ指定画面としてもよい。
【００９０】
最後に、図３０（Ａ）に従来例として、墨定義ファイルに記述されたK値が反映されていないデバイスリンクプロファイルを用いて印刷された画像を示し、図３０（Ｂ）に本実施形態の例として、墨定義ファイルに記述されたK値が反映されたデバイスリンクプロファイルを用いて印刷された画像を示す。図３０（Ａ）におけるグラデーション部分５０１Ａ〜５０５Ａと、図３０（Ｂ）におけるグラデーション部分５０１Ｂ〜５０５Ｂを比較すると、後者では前者で発生しているトーンジャンプが発生しておらず、きれいなグラデーションとなっていることが明らかである。
【符号の説明】
【００９１】
１  プロファイル生成装置
１１  制御部
１２  記憶部
１３  インターフェース部
１４  表示部
１５  操作部
【図２】
2014187662.tif 000003
【図９】
2014187662.tif 000004
【図１６】
2014187662.tif 000005
【図１７】
2014187662.tif 000006
【図２８】
2014187662.tif 000007
【図２９】
2014187662.tif 000008
【図１】
2014187662.tif 000009
【図３】
2014187662.tif 000010
【図４】
2014187662.tif 000011
【図５】
2014187662.tif 000012
【図６】
2014187662.tif 000013
【図７】
2014187662.tif 000014
【図８】
2014187662.tif 000015
【図１０】
2014187662.tif 000016
【図１１】
2014187662.tif 000017
【図１２】
2014187662.tif 000018
【図１３】
2014187662.tif 000019
【図１４】
2014187662.tif 000020
【図１５】
2014187662.tif 000021
【図１８】
2014187662.tif 000022
【図１９】
2014187662.tif 000023
【図２０】
2014187662.tif 000024
【図２１】
2014187662.tif 000025
【図２２】
2014187662.tif 000026
【図２３】
2014187662.tif 000027
【図２４】
2014187662.tif 000028
【図２５】
2014187662.tif 000029
【図２６】
2014187662.tif 000030
【図２７】
2014187662.tif 000031
【図３０】
2014187662.tif 000032